(57)【要約】  本発明は真空掃除機装置のためのフィルタカセットに関する。フィルタカセットは、真空掃除機装置によって吸引される気流中にフィルタカセットを配置できるように真空掃除機装置に配置され得る。フィルタカセットは、側面と上部開口部と下部開口部とを実質的に備えて、吸引された気流が塵埃粒子をフィルタで除去するために下部開口部を通ってフィルタカセットに流れ込み、上部開口部を通ってフィルタカセットから流れ出るようにされる。少なくとも第１及び第２の密封要素がフィルタカセットに設けられる。第１の密封要素が第１の平面に延び、第２の密封要素が第２の平面に延び、第１の平面と第２の平面とが互いに鋭角に配置され、これによりフィルタカセットが真空掃除機装置のフィルタカセットレセプタクルに配置されているときに、第２の密封要素が実質的に水平に向けられ、フィルタカセットレセプタクルが真空掃除機装置の外側からアクセス可能である。本発明は、フィルタカセットを受け入れるためのフィルタカセットレセプタクルを有する真空掃除機装置にさらに関する。フィルタカセットレセプタクルは分割面に対して鋭角に配置された中心面に実質的に延びる。【選択図】  図４
2021505325.tif 000002
【特許請求の範囲】
【請求項１】
真空掃除機装置のためのフィルタカセットであって、前記フィルタカセットが、前記真空掃除機装置によって引き込まれる気流内に前記フィルタカセットを配置可能であるように前記真空掃除機装置内に配置可能であり、前記フィルタカセットが、側面と上部開口部と下部開口部とを実質的に備えて、塵埃粒子をフィルタで除去するために前記引き込まれる気流が前記下部開口部から前記フィルタカセットに流れ込み、前記上部開口部から前記フィルタカセットを流れ出ることができるようにされる、フィルタカセットにおいて、
少なくとも１つの第１及び第２の密封要素が設けられ、前記第１の密封要素が第１の平面に延び、前記第２の密封要素が第２の平面に延び、前記第１の平面と前記第２の平面とは、前記フィルタカセットが前記真空掃除機装置のフィルタカセットレセプタクルに配置されているときに、前記第２の密封要素が実質的に水平に向けられるように互いに鋭角に配置され、前記フィルタカセットレセプタクルが前記真空掃除機装置の外側からアクセス可能であることを特徴とする、フィルタカセット。
【請求項２】
前記第１の面と前記第２の面とのなす鋭角が４５°の値を有することを特徴とする、請求項１に記載のフィルタカセット。
【請求項３】
前記第１の密封要素が前記フィルタカセットレセプタクルの第１の接触面に支えられ、前記第２の密封要素が前記フィルタカセットレセプタクルの第２の接触面に支えられるように最終位置に到達するために、前記フィルタカセットが前記真空掃除機装置の前記フィルタカセットレセプタクルに挿入方向Ａにおいて鋭角、特に４５°で導入可能であることを特徴とする、請求項１又は２に記載のフィルタカセット。
【請求項４】
前記フィルタカセットレセプタクルが分割面に対して鋭角、特に４５°に配置された中心面に実質的に延びることを特徴とする、請求項１から３のいずれか一項に記載のフィルタカセットを受け入れるためのフィルタカセットレセプタクルを備える真空掃除機装置。
【発明の詳細な説明】
【技術分野】
【０００１】
本発明は、真空掃除機装置のためのフィルタカセットに関し、フィルタカセットは、真空掃除機装置によって引き込まれる気流内にフィルタカセットを配置可能であるように真空掃除機装置内に配置可能であり、フィルタカセットは、側面と上部開口部と下部開口部とを実質的に備えて、塵埃粒子をフィルタで除去するために引き込まれる気流が下部開口部からフィルタカセット内に流れ込み、上部開口部からフィルタカセットを流れ出るようにされる。
【０００２】
さらに、本発明は、フィルタカセットを受け入れるためのフィルタカセットレセプタクルを有する真空掃除機装置に関する。
【背景技術】
【０００３】
真空掃除機装置、特に真空掃除機に受け入れられ得るフィルタカセットは、従来技術から非常に広く知られている。通常このようなフィルタカセットはフィルタ要素を保持する長方形のフレームを備える。フィルタ要素は、真空掃除機装置によって引き込まれる気流から塵埃粒子をフィルタで除去する働きをする。
【０００４】
従来技術から知られるフィルタカセットは、通常、真空掃除機装置の回収容器と吸引ヘッドとの間に配置される。回収容器は、引き込まれる気流からフィルタで除去された塵埃粒子を回収する働きをし、吸引ヘッドは、塵埃粒子を拾い上げる引き込まれる気流を発生させる働きをする。
【０００５】
真空掃除機装置内の目的の位置、且つ回収容器と吸引ヘッドとの間にフィルタカセットを配置するには、吸引ヘッドを回収容器から事前に分離しなければならない。その後、フィルタカセットはフィルタカセットのための受け入れ装置に配置される。従来技術から知られているフィルタカセットは、フィルタカセットが受け入れ装置に配置されているときにフィルタカセットを受け入れ装置から気密に密封する密封要素を備える。
【０００６】
従来技術では、真空掃除機装置へのフィルタカセットの取り付け及びフィルタカセットの交換は複雑で時間がかかり難しい。さらに、フィルタカセット、特に密封要素は、必ずしも確実に正しく配置されるとは限らない。
【発明の概要】
【発明が解決しようとする課題】
【０００７】
本発明の目的は、真空掃除機装置のためのフィルタカセットと、フィルタカセットを受け入れるためのフィルタカセットレセプタクルを備えた真空掃除機装置とを提供することであり、これらにより、上記の問題を解決でき、より迅速且つ容易に真空掃除機装置にフィルタカセットを適切に配置することができる。
【０００８】
上記の目的は、独立請求項１及び４の発明の主題によって達成される。有利な実施形態が従属請求項に記載されている。
【課題を解決するための手段】
【０００９】
上記の目的は、真空掃除機装置のためのフィルタカセットによって特に達成され、フィルタカセットは、真空掃除機装置によって引き込まれる気流内にフィルタカセットを配置可能であるように真空掃除機装置内に配置可能であり、フィルタカセットは、側面と上部開口部と下部開口部とを実質的に備えて、塵埃粒子をフィルタで除去するために引き込まれる気流が下部開口部からフィルタカセット内に流れ込み、上部開口部からフィルタカセットを流れ出るようにされる。
【００１０】
本発明によれば、少なくとも１つの第１及び第２の密封要素が提供され、第１の密封要素が第１の平面に延び、第２の密封要素が第２の平面に延び、第１の平面と第２の平面とは、フィルタカセットが真空掃除機装置のフィルタカセットレセプタクルに配置されているときに、第２の密封要素が実質的に水平に向けられるように互いに鋭角に配置され、フィルタカセットレセプタクルが真空掃除機装置の外側からアクセス可能である。その結果、より迅速且つ容易に真空掃除機装置にフィルタカセットを適切に配置することができる。さらに、引き込まれる気流内でのフィルタカセットの最適な密封を確保できる。
【００１１】
本発明の有利な実施形態によれば、第１の平面と第２の平面とのなす鋭角が４５°の値を有することが可能であり得る。その結果、第１及び第２の密封要素上に実質的に最適な接触圧力が生成され得る。
【００１２】
本発明の有利な実施形態によれば、第１の密封要素がフィルタカセットレセプタクルの第１の接触面に支えられ、第２の密封要素がフィルタカセットレセプタクルの第２の接触面に支えられるように最終位置に到達するために、フィルタカセットが真空掃除機装置のフィルタカセットレセプタクルに挿入方向Ａにおいて鋭角、特に４５°で導入可能となることが可能であり得る。
【００１３】
第１及び第２の密封要素の実質的に楔状の配置とフィルタカセットレセプタクルにおける平坦な角度でのフィルタカセットの配置とにより、フィルタカセットが、フィルタカセットの自重により、真空掃除機装置のフィルタカセットレセプタクルの所定の位置に固定され、したがって、密封された状態で最適に配置されることが補助される。フィルタカセットレセプタクルにフィルタカセットを配置するための平坦な角度は、水平に対するフィルタカセットの中心軸に関連する。
【００１４】
本発明はまた、フィルタカセットを受け入れるためのフィルタカセットレセプタクルを有する真空掃除機装置によって達成される。
【００１５】
本発明によれば、フィルタカセットレセプタクルは分割面に対して鋭角、特に４５°に配置された中心面に実質的に延びる。
【００１６】
図では、同一及び類似の構成要素は同じ参照符号で示されている。
【図面の簡単な説明】
【００１７】
【図１】第１及び第２の密封要素を有する、本発明によるフィルタカセットの斜視図を示す。
【図２】回収容器、吸引ヘッド、フィルタカセットレセプタクル、及び本発明によるフィルタカセットを有する、本発明による真空掃除機装置の側断面図を示しており、フィルタカセットは真空掃除機装置の外側に位置している。
【図３】回収容器、吸引ヘッド、フィルタカセットレセプタクル、及び本発明によるフィルタカセットを有する、本発明による真空掃除機装置のさらなる側断面図を示しており、フィルタカセットはフィルタカセットレセプタクルに位置している。
【図４】回収容器、吸引ヘッド、フィルタカセットレセプタクル、及び本発明によるフィルタカセットを有する、本発明による真空掃除機装置のさらなる側断面図を示しており、真空掃除機装置によって引き込まれ、フィルタカセットを通る気流が示されている。
【発明を実施するための形態】
【００１８】
図１は、真空掃除機装置２のための本発明によるフィルタカセット１の一例の図を示している。
【００１９】
フィルタカセット１は、第１の側壁１ａと、第２の側壁１ｂと、第３の側壁１ｃと、第４の側壁１ｄとを備える。第１の側壁１ａ、第２の側壁１ｂ、第３の側壁１ｃ、及び第４の側壁１ｄは、フィルタカセット１を取り囲む側面３を一緒に形成する。側面３は、上側縁部３ａと下側縁部３ｂとを備える。上側縁部３ａと下側縁部３ｂとの両方が側面３を取り囲む。図では、第３の側壁及び第４の側壁は示されておらず、矢印が向けられているのみである。
【００２０】
さらに、側面３は空洞４を囲んでいる。空洞４は、フィルタ要素５を受け入れて保持する働きをする。フィルタ要素５は、フィルタ要素５を流れる気流ＬＳにある塵埃粒子をフィルタで除去して保持する働きをする。気流ＬＳは真空掃除機装置２によって発生され、このことは以下で詳細に説明する。
【００２１】
さらに、フィルタカセット１は、第１の密封要素６と第２の密封要素７とを備える。第１の密封要素６及び第２の密封要素７は、密封ゴムバンドの形態で構成される。密封バンド６、７はゴム状材料から作られる。代替的な構成によれば、第１の密封要素６及び第２の密封要素７はまた、任意の他の可能な構成を有し得る。
【００２２】
第１の密封要素６は、上側縁部３ａにおいて側面３に沿って延びる。したがって、第１の密封要素６はフィルタカセット１の上端に配置される。
【００２３】
第２の密封要素７は、第１の側壁１ａ及び第３の側壁１ｃに沿って水平に、又は第１の密封要素６に平行に延びる。第２の密封要素７は、水平線に対して鋭角αに第２の側壁１ｂ及び第４の側壁１ｄに沿って延びる。したがって、第２の密封要素７は、第１の側壁１ａに沿ってフィルタカセット１の上側縁部３ａの近くに配置される。第２の密封要素７は、第３の側壁１ｃに沿ってフィルタカセットの下側縁部３ｂの近くに配置される。第２の側壁１ｂにおいて、第２の密封要素７は、上部（上側縁部３ａの近く）から底部（下側縁部３ｂの近く）まで延びる。第４の側壁１ｄにおいて、第２の密封要素は、底部（下側縁部３ｂの近く）から上部（上側縁部３ａの近く）まで延びる。第２の側壁１ｂ及び第４の側壁１ｄにおいて、第１の密封要素６及び第２の密封要素７は、互いの間にそれぞれの楔状表面を形成する。
【００２４】
図１に示すように、第１の密封要素６は第１の平面Ａに延び、第２の密封要素７は第２の平面Ｂに延びる。第１の平面Ａと第２の平面Ｂとは、第２の密封要素７が実質的に水平に向けられるように、互いに４５°の鋭角に配置される。
【００２５】
代替的な実施形態によれば、角度はまた、４５°より大きくても小さくてもよい。
【００２６】
図２から図４は真空掃除機装置２を示している。真空掃除機装置２は回収容器８と吸引ヘッド９とを実質的に備える。吸引ヘッド９は回収容器８に取り外し可能に配置される。
【００２７】
吸引ヘッド９は負圧を発生させるためのタービン１０を備える。負圧の助けにより、周囲の空気が真空掃除機装置２の外側から内部に引き込まれ得る。タービン１０は、供給管１１を介してフィルタカセットレセプタクル１２に接続される。フィルタカセットレセプタクル１２は、フィルタカセット１の形状及び外部容積を実質的に有し、フィルタカセット１を受け入れて保持する働きをする。さらに、フィルタカセットレセプタクル１２は、吸引ヘッド９と回収容器８との間に配置される。分割面１３は、吸引ヘッド９と回収容器８との間に延びる。さらに、吸引ヘッド９は、第１の端部１４ａと第２の端部１４ｂとを備えた入口管１４を有する。入口管１４の第１の端部１４ａは、吸引ヘッド９の外側に位置し、真空掃除機のホースを受け入れて保持する働きをする。真空掃除機のホースは図示されていない。入口管１４の第２の端部１４ｂは回収容器８の内部に差し向けられている。入口管１４の第２の端部１４ｂを通って、引き込まれた空気ＬＳは回収容器８の内部に流れ込む。
【００２８】
回収容器８は取り囲んでいる壁面１５と底部１６とを実質的に備える。取り囲んでいる壁面１５と底部１６とは空洞１７を形成する。これにより、回収容器８は、引き込まれる気流ＬＳの助けにより収集された塵埃粒子を収集して保持する働きをする。塵埃粒子は図示されていない。
【００２９】
図２に示すように、フィルタカセット１は、開口部からフィルタカセットレセプタクル１２に（Ｘ方向に）導入され得る。真空掃除機装置２からフィルタカセット１を取り外すには、フィルタカセット１をフィルタカセットレセプタクル１２からＹ方向に引き出す。
【００３０】
図２は、フィルタカセット１がフィルタカセットレセプタクル１２の外側にあるときの真空掃除機装置２を示している。
【００３１】
代替的な構成によれば、ロック機構がフィルタカセットレセプタクル１２の開口部に設けられ得る。ロック機構は、フィルタカセット１をフィルタカセットレセプタクル１２内にロックする、又は押し込む働きをする。
【００３２】
図３は、フィルタカセット１がフィルタカセットレセプタクル１２の内側にあるときの真空掃除機装置２を示している。
【００３３】
図３及び図４に示すように、フィルタカセット１が真空掃除機装置２のフィルタカセットレセプタクル１２にある場合、フィルタカセット１はフィルタカセットレセプタクルにおいて４５°の鋭角αにある。この最終位置では、第１の密封要素６はフィルタカセットレセプタクル１２の第１の接触面６０に支えられ、第２の密封要素７はフィルタカセットレセプタクル１２の第２の接触面７０に支えられる。したがって、第１の接触圧力Ｆ１及び第２の接触圧力Ｆ２は、最適且つ気密に密封するために、フィルタカセット１の第１の密封要素６及び第２の密封要素７に加えられる。フィルタカセットレセプタクル１２にフィルタカセット１が斜めに取り付けられた結果、接触圧力Ｆ１及び接触圧力Ｆ２が第１の密封要素６及び第２の密封要素７に永続的に作用し、それにより引き込まれる気流ＬＳ中でフィルタカセット１を最適な密封が確保される。
【符号の説明】
【００３４】
１  フィルタカセット
１ａ  第１の側壁１ａ
１ｂ  第２の側壁１ｂ
１ｃ  第３の側壁１ｃ
１ｄ  第４の側壁
２  真空掃除機装置
３  側面
３ａ  上側縁部
３ｂ  下側縁部
４  フィルタカセットの空洞
５  フィルタ要素
６  第１の密封要素
７  第２の密封要素
８  回収容器
９  吸引ヘッド
１０  タービン
１１  供給管
１２  フィルタカセットレセプタクル
１３  分割面
１４  入口管１４
１４ａ  入口管１４の第１の端部
１４ｂ  入口管１４の第２の端部
１５  取り囲んでいる壁面
１６  底部
１７  回収容器の空洞
６０  第１の接触面
７０  第２の接触面
Ｆ１  第１の接触圧力
Ｆ２  第２の接触圧力
ＬＳ  引き込まれる気流
【図１】
2021505325.tif 000003
【図２】
2021505325.tif 000004
【図３】
2021505325.tif 000005
【図４】
2021505325.tif 000006
【国際調査報告】
2021505325.tif 000007
2021505325.tif 000008
2021505325.tif 000009
2021505325.tif 000010